(57)【要約】【課題】モータ搭載による振動・騒音特性を改善する。【解決手段】モータ１０を車両後部の車体構造部材に保持する。モータ１０の前側を保持する前側保持部２２と、モータの後側を保持する後側保持部２２と、を含む。前側保持部２２および後側保持部２２はモータ１０の重心の同じ高さに位置する。【選択図】図１
2019098939.tif 000002
【特許請求の範囲】
【請求項１】
モータを車両後部の車体構造部材に保持する車両の後部構造であって、
前記モータの前側を保持する前側保持部と、
前記モータの後側を保持する後側保持部と、
を含み、
前記前側保持部および前記後側保持部はモータの重心と同じ高さに位置する、
車両の後部構造。
【発明の詳細な説明】
【技術分野】
【０００１】
本発明は、モータを車両後部の車体構造部材に保持する車両の後部構造に関する。
【背景技術】
【０００２】
特許文献１には、後輪駆動用のモータを搭載する車両において、そのモータをリアサスペンションメンバに固定することが記載されている。リアサスペンションメンバは、車両の左右側部において前後方向に伸びサスペンションを介し車両を支持する一対のサイドレールと、車両の前後方向に間隔をおいて配置され車幅方向に伸びる一対のクロスメンバからなり、全体として井桁状を呈する車体の比較的高剛性の車体構造部材である。
【０００３】
このようなリアリアサスペンションメンバにモータを支持することで、衝突などの際にもモータの移動を抑制することができる。
【先行技術文献】
【特許文献】
【０００４】
【特許文献１】特許第５６５６０３２号公報
【発明の概要】
【発明が解決しようとする課題】
【０００５】
ここで、モータはその出力軸の回転で駆動力を出力するものであり、回転に応じて振動・騒音を発生する可能性がある。また、重量が大きいため、路面の凹凸などの影響で振動すると、車両の振動・騒音性能が悪化する。
【０００６】
本発明は、モータによる振動・騒音を低減することを目的とする。
【課題を解決するための手段】
【０００７】
本発明は、モータを車両後部の車体構造部材に保持する車両の後部構造であって、前記モータの前側を保持する前側保持部と、前記モータの後側を保持する後側保持部と、を含み、前記前側保持部および前記後側保持部はモータの重心と同じ高さに位置する。
【０００８】
また、前記前側保持部は、車幅方向に間隔をおいて配置される２つの保持部から構成されるとよい。
【０００９】
また、前記前側保持部および前記後側保持部は、車幅方向の車両骨格部材であって前後方向に間隔を置いて配置される２つのリアクロスメンバにそれぞれ形成されるとよい。
【００１０】
また、２つのリアクロスメンバは、左右後輪を保持する左右サスペンションの車体側端が接続される車体構造部材である左右サイドレールにそれぞれ固定されるとよい。
【発明の効果】
【００１１】
本発明によれば、各保持部がモータ重心と同じ高さにあり、保持部とモータ重心の距離の総和を小さくでき、モータ搭載による振動・騒音特性を改善することができる。
【図面の簡単な説明】
【００１２】
【図１】実施形態に係る車両の後部構造を示す図であり、（ａ）は平面図、（ｂ）は正面図、（ｃ）は側面図である。
【図２】実施形態に係る車両の後部構造を示す平面図である。
【図３】実施形態に係る車両の後部構造を示す正面図である。
【図４】実施形態に係る車両の後部構造を示す側面図である。
【発明を実施するための形態】
【００１３】
以下、本発明の実施形態について、図面に基づいて説明する。なお、本発明は、ここに記載される実施形態に限定されるものではない。
【００１４】
「概略構成」
図１には、一実施形態に係る後部構造を模式的に示されている。（ａ）は平面図、（ｂ）は前方側から見た正面図、（ｃ）は車両の左側から見た側面図である。なお、（ｂ）、（ｃ）では、サイドレール１４の図示は省略してある。
【００１５】
モータ１０は、車両走行用モータであり、この例では後輪駆動用であるが、前輪駆動用であってもよい。モータ１０は出力軸を有し、この出力軸の駆動力が車輪（駆動輪）２０に伝達され、車両が走行する。
【００１６】
モータ１０は、車両後部に位置する、井桁状に配置されたリアサスペンションメンバ１２に支持される。リアサスペンションメンバ１２は、比較的強度が大きい、車体の骨格となる車体構造部材である。リアサスペンションメンバ１２は、車両の左右両側に位置し車両前後方向に伸びる一対のサイドレール（右サイドレール１４ａ、左サイドレール１４ｂ）１４と、車両の前後方向に間隔をおいて配置され車幅方向に伸びる一対のリアクロスメンバ（前側リアクロスメンバ１６ａ、後側リアクロスメンバ１６ｂ）１６とから構成されている。
【００１７】
サイドレール１４には、サスペンション１８を介し車輪２０が接続されている。なお、図においては、駆動力を伝達する車軸などは省略してある。一対のリアクロスメンバ１６は、後輪に対応する位置にあり、前側リアクロスメンバ１６ａと後側リアクロスメンバ１６ｂが、車両前後方向において車輪２０を挟むように間隔をおいて配置されている。また、前側リアクロスメンバ１６ａと後側リアクロスメンバ１６ｂの両端は右サイドレール１４ａおよび左サイドレール１４ｂに固定される。
【００１８】
モータ１０は、前側リアクロスメンバ１６ａに２点で支持され、後側リアクロスメンバ１６ｂに１点で支持される。各支持点の上側には、取り付けマウント２２の一端側が固定され、他端側がモータ１０に固定されることでモータ１０が前側リアクロスメンバ１６ａ、後側リアクロスメンバ１６ｂに３点で支持される。前側リアクロスメンバ１６ａの両側に設けられた２つの取り付けマウント２２が前側保持部、後側リアクロスメンバ１６ｂに設けられた取り付けマウント２２が後側保持部を構成する。なお、固定は、基本的にボルトを利用して行われ、取り付けマウント２２の両端がモータ１０のケースと、リアクロスメンバ１６にボルト締めされる。
【００１９】
また、図１（ｂ）に示すように、３つの支持点は、ほぼ正三角形状となっており、３点が均等に荷重を分担する。また、モータ１０の重心から距離も全体（重心から各支持点への距離の総和）として小さくなっている。そして、前側リアクロスメンバ１６ａへの支持点は、なるべくサイドレール１４に近い位置となっている。すなわち、取り付けマウント２２の他端側は、モータ１０の側壁に締結しており、支持点は車幅方向においてモータ１０の側壁とサイドレール１４の間に位置する。このため、これら２つの支持点は、サイドレール１４とリアクロスメンバ１６の交点に近く、振動しにくい。
【００２０】
そして、図１（ａ）、（ｃ）に示すように、取り付けマウント２２の高さ方向位置はほぼ同一であり、かつその位置（高さ）にモータ１０の重心が存在する。言い換えると、３つの支持点を通る面上にモータ１０の重心が位置する。従って、モータ１０の重心と支持点の距離（重心から各支持点への距離の総和）が短く、各支持点を支点とし重心を作用点とするモーメントを小さくできる。なお、支持点の高さ方向の位置は、取り付けマウント２２の高さ方向の中央とした。
【００２１】
このように、本実施形態では、モータ１０を支持する構成が振動を抑制するようになっており、モータ１０の駆動トルクの反力でモータ１０が振れにくくなり、耐久性、振動・騒音性能の向上が可能となる。また、路面の凹凸による車輪２０の振動は、サイドレール１４、リアクロスメンバ１６を介し、モータ１０に伝えられるが、全体として振動しにくい構造となっているため、この振動についても低減することができる。
【００２２】
図２は、図１（ａ）に対応する平面図、図３は図１（ｂ）に対応する正面図、図４は図１（ｃ）に対応する側面図である。なお、図４においては、後側リアクロスメンバ１６ｂへのモータ取り付け箇所を表示してある。すなわち、後側リアクロスメンバ１６ｂの支持点における取り付けマウント２２はモータ１０に左側から取り付けられるため、実際には右側からは見えないがこれを表示してある。また、これらの図において、ボルト３０を実際には見えない軸部を含め模式的に明示してある。ボルト３０は、相手部材に直接ねじ込んで固定してもよいが、相手部材が板材であればナットを用いて固定することが好適である。モータ１０についてもケースから板材を突出させ、ボルトナットで固定することが好適である。
【００２３】
このように、取り付けマウント２２は、モータ１０のケースに対し、車幅方向に伸びるボルト３０で締結され、取り付けマウント２２は、リアクロスメンバ１６に高さ方向に伸びるボルト３０で締結される。
【００２４】
なお、図３に示すように、本実施形態では、サイドレール１４から支持点までの距離Ａが比較的小さくして、振動を抑制している。
【００２５】
各部材は、基本的に鋼材で形成されるが、強度を維持することができ、加工ができれば他の材料を用いてもよい。
【００２６】
本実施形態によれば、大重量のモータ１０を前後のリアクロスメンバ１６に３か所の支持点で固定し、その支持点の高さ方向位置をモータ１０の重心を合わせた。これによって、モータ１０の振動を抑制して、車両の振動・騒音特性を改善することができる。
【符号の説明】
【００２７】
１０  モータ、１２  リアサスペンションメンバ、１４  サイドレール、１４ａ  右サイドレール、１４ｂ  左サイドレール、１６  リアクロスメンバ、１６ａ  前側リアクロスメンバ、１６ｂ  後側リアクロスメンバ、１８  サスペンション、２０  車輪、２２  取り付けマウント、３０  ボルト。
【図１】
2019098939.tif 000003
【図２】
2019098939.tif 000004
【図３】
2019098939.tif 000005
【図４】
2019098939.tif 000006